(57)【要約】      （修正有）【課題】居室内終端装置等から出力されるテレビＲＦ信号が簡単に接続できる仕組み・機能を保有し、終端装置等の配線接続後でもふたの開閉が簡単にできる仕組み・機能を有する住宅用情報盤を提供する。【解決手段】既存の住宅用情報盤は空の樹脂ボックス内にテレビ分配器が設置されていることが主流であるが、この場合居室内からのテレビ同軸線を接続するには住宅用情報盤のふたを開けたまま接続するか、または住宅用情報盤のボックスの切り欠き作業を行う等、一般の住宅購入者では作業が非常に難しい。宅内終端装置等から出力される「テレビＲＦ信号」接続用インターフェイスを保有する住宅用情報盤とすることで、誰にでも簡単にかつ特別な電気工事を伴うことなく終端装置から出力されるＲＦ信号を利用できるようにし、また配線接続後でもふたの開閉を可能にする。【選択図】図１
0003158364.tif 000002
【実用新案登録請求の範囲】
【請求項１】
大手通信会社が提供している、インターネットによるテレビ放送サービスの「宅内終端装置等からＲＦ出力されるテレビ放送信号」を、住宅内テレビ放送受信設備に接続介入を行う際に、同軸ケーブルの接続を簡単に行うことができるインターフェイスプレートを保有する住戸用弱電情報盤装置。
【請求項２】
大手通信会社が提供している、インターネットによるテレビ放送サービスの「宅内終端装置等からＲＦ出力されるテレビ放送信号」を住宅用弱電情報盤装置に接続した際、同軸ケーブルを抜かなくてもふたを開けることができる仕組み・方法、またはその機能を保有する住戸用弱電情報盤装置。
【考案の詳細な説明】
【技術分野】
【０００１】  本考案は、モデム（終端装置）のテレビＲＦ出力線を容易に接続できる住戸用弱電情報分電盤設備に関するものである。
【背景技術】
【０００２】  現状の市販品弱電情報盤は、ふたを閉めてしまうと居室内に設置する終端装置のテレビＲＦ出力線を容易に接続できない。また、無理に各種電線を接続すると情報盤のふたを開けた状態で行うか、電線接続用のコンセントを別途設置するしかなかった。
【先行技術文献】
【特許文献】
【０００３】
【特許文献１】
【特許文献２】
【非特許文献】
【０００４】
【非特許文献１】松下電工  電設資材カタログ２００８〜２０１０  Ｐ１７９
【非特許文献２】
【考案の概要】
【考案が解決しようとする課題】
【０００５】  既存の住戸用情報盤は空の樹脂ボックス内にテレビ分配器が設置されているだけが主流であるが、この場合居室内からのテレビ同軸線を接続するには住戸用弱電情報盤のふたを開けたまま接続するか、またはテレビ同軸線を住戸用弱電情報盤内のテレビ分配器に接続するためボックスの切り欠き作業を行う等、一般の住宅購入者では作業が非常に難しかった。居室内設置の終端装置等から出力される「テレビＲＦ信号」接続用インターフェイスを保有する住宅用弱電情報盤を考案することで、誰にでも簡単にかつ特別な電気工事を伴うことなく終端装置から出力されるＲＦ信号を接続・利用できるようにするものである。また、一度接続したテレビ線他を抜かなくても住戸用弱電情報盤のふたが開けられるようにする。本考案の目的は、このような複雑な住宅用弱電情報盤の接続を克服しメンテナンスを容易にし、非常に簡単な手間だけで住宅購入者に利用しやすい環境を提供するところにある。
【課題を解決するための手段】
【０００６】  従来の住戸用情報盤にはない、終端装置からのテレビ用ＲＦ出力線を簡単に接続できるテレビ端子を、ボックス表面ないしは上部・下部、または側面に設置をすることで電気工事を伴うことなく誰でも接続可能にする。また、インターフェイスは住戸用弱電情報盤のふたを開けても本体側に残る設計としテレビ線を接続したままでふたを開けられるものとする。接続表面の端子群は住宅情報盤の内部の機器と接続されており、専門知識がなくとも接続が可能となる。
【考案の効果】
【０００７】  特別な弱電知識がなくとも誰でも簡単迅速に居室内の終端装置からのＲＦテレビ線を住戸内テレビ受信設備に接続可能となり、ふたを開閉することができる。
【図面の簡単な説明】
【０００８】
【図１】本考案の、インターフェイスを保有した住戸用弱電情報盤の実施例を示す正面図でふたを閉めた状態である。
【図２】本考案の、ふたをはずした状態でインターフェイス部に接続した使用例を示す図である。
【考案を実施するための形態】
【０００９】  住戸用弱電情報盤の表面に、ふたを開けても本体に残るテレビ端子を含めたインターフェイスプレートを設置する。終端装置からのテレビ線（他、電話やＬＡＮケーブル）の接続を容易にし、またメンテナンスを行う場合にもテレビ線他を都度抜かなくても良い設計とする。
【実施例】
【００１０】  以下、添付図面に従って一実施例を説明する。※ボックスはふた付きプラスチック樹脂筐体のボックスをベースとしており、☆ふたの一部を切り取り、▲１▼インターフェースプレートを筐体側に設置してふたを開けてもこの▲１▼インターフェイスプレートが残る設計とする。▲１▼インターフェイスプレートは情報盤内の各機器（▲３▼ＨＵＢ、▲２▼電話端子台、▲５▼テレビ分配器）に接続されており、▲１▼インターフェイスプレートに必要な電線を挿せば、住宅内の各種電気設備に介入できる仕組みとなる。また▲１２▼光ファイバー等を接続しても、☆ふたが▲１▼インターフェイスプレートと独立しているため、容易に☆ふたが開けられる設計とする。
【産業上の利用可能性】
【００１１】  あり
【符号の説明】
【００１２】  ※  本体ボックス  ☆  ふた  ▲１▼  インターフェイスプレート  ▲２▼  電話用分岐器  ▲３▼  ８ポートＨＵＢ  ▲４▼  テレビブースター設置スペース  ▲５▼  テレビ８分配器  ▲６▼  電源コンセント  ▲７▼  ＣＤ管・ＴＬチューブ固定用インシュロック  ▲８▼  ＣＤ管用ノックアウト  ▲９▼  通線用予備ノックアウト  ▲１０▼  Ｆケーブル通線口  ▲１１▼  （公序良俗違反につき、不掲載）  ▲１２▼  光ファイバー
【図１】
0003158364.tif 000003
【図２】
0003158364.tif 000004
【手続補正書】
【提出日】平成21年5月29日(2009.5.29)
【手続補正１】
【補正対象書類名】実用新案登録請求の範囲
【補正対象項目名】全文
【補正方法】変更
【補正の内容】
【実用新案登録請求の範囲】
【請求項１】
大手通信会社が提供している、インターネットによるテレビ放送サービスの「宅内終端装置等からＲＦ出力されるテレビ放送信号」を、住宅内テレビ放送受信設備に接続介入を行う際に、同軸ケーブルの接続を簡単に行うことができるインターフェイスプレートを保有する住戸用弱電情報盤装置。
最新の終端装置には、テレビＲＦ信号出力端子を備えている。本考案の住戸用弱電情報盤装置のふた表面インターフェイスプレートには、終端装置のテレビＲＦ信号出力端子を接続できるテレビＲＦ信号入力用テレビ端子を備える。これにより、本考案の住戸用弱電情報盤装置を利用する場合には、利用者はテレビ用接続コードにて宅内終端装置と本考案の住戸用弱電情報盤装置の接続を簡単に行う事ができる。
また、本考案の住戸用弱電情報盤装置のふたに設置されているテレビ端子から住戸用弱電情報盤装置内部のテレビ分配器まではテレビ用同軸ケーブルにて接続されており、利用者が住戸用弱電情報盤装置のふたを開けて複雑な配線接続作業を行う必要がないものとする。
【請求項２】
大手通信会社が提供している、インターネットによるテレビ放送サービスの「宅内終端装置等からＲＦ出力されるテレビ放送信号」を住宅用弱電情報盤装置に接続した際、同軸ケーブルを抜かなくてもふたを開けることができる仕組み・方法、またはその機能を保有する住戸用弱電情報盤装置。
終端装置のテレビＲＦ信号出力の接続先となるテレビ端子を内蔵するインターフェイスプレートは、住戸用弱電情報盤装置のふたの部分と一体構造、または、住戸用弱電情報盤装置のふたの部分を開けても機器収納ボックス（壁設置部分）に残る構造となっており、利用者が本考案の住戸用弱電情報盤装置内のメンテナンスを行う際も、すでに接続されているテレビ用接続コード他コード類を抜かなくても良く、利便性を追求した。
【手続補正２】
【補正対象書類名】明細書
【補正対象項目名】００１２
【補正方法】変更
【補正の内容】
【００１２】    ※  本体ボックス
☆  ふた
▲１▼  インターフェイスプレート
▲２▼  電話用分岐器
▲３▼  ８ポートＨＵＢ
▲４▼  テレビブースター設置スペース
▲５▼  テレビ８分配器
▲６▼  電源コンセント
▲７▼  ＣＤ管・ＴＬチューブ固定用インシュロック
▲８▼  ＣＤ管用ノックアウト
▲９▼  通線用予備ノックアウト
▲１０▼  Ｆケーブル通線口
▲１１▼  終端装置
【手続補正３】
【補正対象書類名】図面
【補正対象項目名】図２
【補正方法】変更
【補正の内容】
【図２】
0003158364.tif 000005
【手続補正書】
【提出日】平成21年11月26日(2009.11.26)
【手続補正１】
【補正対象書類名】実用新案登録請求の範囲
【補正対象項目名】全文
【補正方法】変更
【補正の内容】
【実用新案登録請求の範囲】
【請求項１】
大手通信会社が提供しているインターネットによるテレビ放送サービスの宅内終端装置等からＲＦ出力されるテレビ放送信号を、住宅内テレビ放送受信設備に接続介入を行う際に同軸ケーブルの接続を簡単に行うことができるように、（１）テレビ端子、（２）ＬＡＮ端子、（３）電話端子、（４）光ファイバーパッチケーブル通線口、（５）電話会社の１次線接続電話端子から成るインターフェイスプレートを保有しており、このインターフェイスプレートは情報盤本体内部に設置されている各機器の（６）ＨＵＢ、（７）電話線分岐器、（８）テレビ分配器に配線接続した状態にて製作される住戸用弱電情報盤装置。
【請求項２】
大手通信会社が提供している、インターネットによるテレビ放送サービスの宅内終端装置等からＲＦ出力されるテレビ放送信号を住宅用弱電情報盤装置に接続した際、同軸ケーブルを抜かなくてもふたを開けることができる仕組み・方法、またはその機能を保有する住戸用弱電情報盤装置で、本体ふた表面に（１）テレビ端子、（２）ＬＡＮ端子、（３）電話端子、（４）光ファイバーパッチケーブル通線口、（５）電話会社の１次線接続電話端子から成るインターフェイスプレートが設置されているか、または本体のふたの開閉を問わず、（１）テレビ端子、（２）ＬＡＮ端子、（３）電話端子、（４）光ファイバーパッチケーブル通線口、（５）電話会社の１次線接続電話端子から成るインターフェイスプレートが本体ボックスに固定されている住戸用弱電情報盤装置。